(57)【要約】【課題】搬送機構の構成部材の適切な交換時期を検出し、検知性能の維持および信頼性の向上を図ることが可能な紙葉類処理装置および紙葉類処理方法を提供する。【解決手段】実施形態によれば、紙葉類処理装置は、鑑査装置を備えている。鑑査装置は、搬送路に沿って延在する搬送ベルトＢＬ１を有し、搬送ベルトにより紙葉類Ｐを搬送する搬送部と、搬送ベルトにより搬送される紙葉類および搬送ベルトを撮像し紙葉類および搬送ベルトの画像を取得可能な画像検出装置とを有し、を有し、取得画像に基づいて、紙葉類を鑑査する。鑑査装置は、取得画像における搬送ベルトのベルト画像に基づいて搬送ベルトの劣化度を検出可能な画像処理部と、検出された劣化度に応じて搬送ベルトの交換を促す情報をモニタへ発信することが可能な制御部１５と、を備えている。【選択図】図４
2020154566.tif 000002
【特許請求の範囲】
【請求項１】
搬送路に沿って延在する搬送ベルトを有し、前記搬送ベルトにより紙葉類を搬送する搬送部と、前記搬送ベルトにより搬送される紙葉類および前記搬送ベルトを撮像し前記紙葉類および搬送ベルトの画像を取得可能な画像検出装置を有し、前記取得画像に基づいて、前記紙葉類を鑑査する鑑査部と、を具備する鑑査装置を備え、
前記鑑査装置は、
前記取得画像における前記搬送ベルトのベルト画像に基づいて前記搬送ベルトの劣化度を検出可能な画像処理部と、
検出された劣化度に応じて前記搬送ベルトの交換を促す情報を、前記鑑査装置に搭載あるいは接続されたモニタへ発信することが可能な制御部と、
を更に備えている紙葉類処理装置。
【請求項２】
前記画像処理部は、前記ベルト画像の輝度を検出し前記検出された輝度に基づいて前記搬送ベルトの劣化度を判定する劣化度判定ソフトウェアを備えている、もしくは、前記劣化度判定ソフトウェアに基づき処理可能な請求項１に記載の紙葉類処理装置。
【請求項３】
前記画像処理部は、前記ベルト画像の幅を検出し前記検出された幅に基づいて前記搬送ベルトの劣化度を判定する劣化度判定ソフトウェアを備えている、もしくは、前記劣化度判定ソフトウェアに基づき処理可能な請求項１に記載の紙葉類処理装置。
【請求項４】
前記画像検出装置は、搬送される前記紙葉類および搬送ベルトに検出光を照射する照明装置と、前記紙葉類および搬送ベルトからの反射光を撮像する撮像装置と、を備えている請求項１から３のいずれか１項に記載の紙葉類処理装置。
【請求項５】
搬送ベルトにより検査領域を通して紙葉類を搬送し、
前記検査領域を通過する前記紙葉類および搬送ベルトを撮像し、前記紙葉類および搬送ベルトの画像を取得し、
前記取得画像に基づいて、前記紙葉類を鑑査し、
前記取得画像における搬送ベルトのベルト画像に基づいて前記搬送ベルトの劣化度を検出し、
前記検出された劣化度に応じて前記搬送ベルトの交換を促す情報を発信する
紙葉類処理方法。
【請求項６】
前記ベルト画像の輝度を検出し、前記検出された輝度に基づいて前記搬送ベルトの劣化度を判定する請求項５に記載の紙葉類処理方法。
【請求項７】
前記ベルト画像の幅を検出し、検出された幅に基づいて前記搬送ベルトの劣化度を判定する請求項５に記載の紙葉類処理方法。
【発明の詳細な説明】
【技術分野】
【０００１】
本発明の実施形態は、紙葉類を処理する紙葉類処理装置および紙葉類処理方法に関する。
【背景技術】
【０００２】
近年、銀行や大規模小売業等では日常的に大量の紙幣が扱われ、これら紙幣を金種や、正損（紙幣の汚損度合い）に応じて分類して整理する業務が存在している。このような紙幣の整理業務を自動化する装置として紙葉類処理装置が用いられている。紙葉類処理装置は、例えば、紙幣の券種や正損の度合いを鑑別する鑑査部と、紙幣を金種別などに分類して集積する複数の集積部と、所定の経路を通して紙幣を搬送する搬送機構などを備えている。  
鑑査部は、搬送機構により搬送される紙幣の画像を所得する画像読取装置、紙幣の蛍光印刷を検知する蛍光検知装置、その他、種々のセンサを備えて構成されている。画像読取装置は、読み取った画像から、紙幣の券種、紙幣の汚れ、紙幣の傾き等を判別する。
通常、搬送機構は、搬送ベルト、搬送ローラ、搬送ガイド等で構成され、紙幣や媒体を高速で搬送する。この際、紙幣は、搬送ベルト上に載った状態、あるいは、対向する一対の搬送ベルト間に挟まれた状態で、搬送される。鑑査部においては、適切な検知を行うために、紙幣は、搬送機構により所定の位置に、かつ、所定の速度で、安定して搬送される必要がある。
【先行技術文献】
【特許文献】
【０００３】
【特許文献１】特開２００７−６６０５９号公報
【特許文献２】特開２００９−１９９１８２号公報
【発明の概要】
【発明が解決しようとする課題】
【０００４】
上記のような紙葉類処理装置において、搬送機構のベルトやゴムローラは安定的な搬送、検知性能の維持に必須であるため、定期交換部品として一定の周期で交換される。しかし、交換前にベルト、ゴムローラが劣化あるいは伸びてしまい、安定的な搬送が行えない（ベルトがブレてしまう）事象が発生し、適切に検査を行えない事態が発生する場合がある。逆に、まだ使用可能な状態のベルトあるいはゴムローラを交換し、無駄が生じる場合もある。
この発明の実施形態の課題は、搬送機構の構成部材の適切な交換時期を検出し、検知性能の維持および信頼性の向上を図ることが可能な紙葉類処理装置および処理方法を提供することにある。
【課題を解決するための手段】
【０００５】
一実施形態によれば、紙葉類処理装置は、鑑査装置を備えている。前記鑑査装置は、搬送路に沿って延在する搬送ベルトを有し、前記搬送ベルトにより紙葉類を搬送する搬送部と、前記搬送ベルトにより搬送される紙葉類および前記搬送ベルトを撮像し前記紙葉類および搬送ベルトの画像を取得可能な画像検出装置を有し、前記取得画像に基づいて、前記紙葉類を鑑査する鑑査部と、を備えている。更に、鑑査装置は、前記取得画像における前記搬送ベルトのベルト画像に基づいて前記搬送ベルトの劣化度を検出可能な画像処理部と、検出された劣化度に応じて前記搬送ベルトの交換を促す情報を、前記鑑査装置に搭載あるいは接続されたモニタへ発信することが可能な制御部と、を備えている。
【図面の簡単な説明】
【０００６】
【図１】図１は、実施形態に係る紙葉類処理装置の全体構成を概略的に示す断面図。
【図２】図２は、前記紙葉類処理装置の搬送機構および画像検出装置を概略的に示す側面図。
【図３】図３は、前記搬送機構および画像検出装置を概略的に示す斜視図。
【図４】図４は、前記画像検出装置の画像取得部、制御部、および画像処理部を機能ブロックとして示すブロック図。
【図５】図５は、前記紙葉類処理装置における搬送ベルトの劣化度を検出する工程を示すフローチャート。
【図６】図６は、前記搬送ベルトおよび紙葉類の取得画像の一例を示す平面図。
【図７】図７は、前記取得画像および検出エリアの一例を示す平面図。
【図８】図８は、前記搬送ベルトのベルト画像と輝度との関係を示す図。
【図９】図９は、前記搬送ベルトのベルト画像のずれ幅と輝度との関係を示す図。
【発明を実施するための形態】
【０００７】
以下、図面を参照しながら実施形態について、詳細に説明する。  
なお、開示はあくまで一例にすぎず、当業者において、発明の主旨を保っての適宜変更であって容易に想到し得るものについては、当然に本発明の範囲に含有されるものである。また、図面は説明をより明確にするため、実際の態様に比べ、各部の寸法、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００８】
（実施形態）
図１は、紙葉類処理装置の一例として実施形態に係る紙幣処理装置の内部構造を概略的に示す断面図である。図示のように、紙幣処理装置１０は、第１モジュールＵＡと第２モジュールＵＢとを備えている。第１モジュールＵＡと第２モジュールＵＢとは、互いに機械的、かつ、電気的に接続されている。紙幣処理装置１０は、第１モジュールＵＡおよび第２モジュールＵＢ内を通って延在する複数の搬送路１２と、処理対象となる複数枚の紙幣Ｐが積層状態で載置される供給部２０と、供給部２０から紙幣Ｐを１枚ずつ取出して搬送路１２に送りだす取出し装置２１と、を備えている。搬送路１２は、図示しない複数枚のガイド板、複数のゲート、搬送ベルト等により規定されている。紙幣処理装置１０は、搬送路１２に沿って複数枚の紙幣を順次搬送する搬送機構（搬送部）を備えている。搬送機構は、後述するような複数の無端状の搬送ベルト、搬送ローラ、搬送ベルトを駆動する駆動モータ、吸引装置、紙葉類の通過を検知する複数のセンサ等を備えている。
【０００９】
紙幣処理装置１０は、搬送路に沿って延在する搬送ベルトを有し、搬送ベルトにより紙葉類を搬送する搬送部と、搬送される紙幣Ｐを１枚ずつ鑑査する鑑査部（鑑査装置）１８と、券種ごとに紙幣を集積および施封する複数の集積施封装置２２ａ、２２ｂ、２２ｃ、２２ｄと、集積施封装置２２ａ〜２２ｄの下方に設けられ、施封された紙幣束を排出部２４へ搬送する排出搬送機構２６と、リジェクト券を回収するリジェクト券排出部２７と、リジェクト券を裁断する裁断部２８と、バッチカードを回収するバッチカード排出部２９と、を備えている。なお、バッチカードとは、紙葉類束と一緒に投入されるカードであり、紙葉類束の情報を示すバーコード、ＱＲ（登録商標）コード等が付されたカードである。
【００１０】
鑑査装置１８は、送られて来た紙幣Ｐの金種、形状、厚さ、表裏、真偽、正損、２枚取り等を検出し、紙幣を鑑査するもので、これらを検出する種々のセンサ、撮像装置等を有している。一例では、鑑査装置１８は、紙幣Ｐの上面の反射画像情報を検出する第１画像検出装置３０と、紙幣Ｐの下面の反射画像情報を検出する第２画像検出装置３２と、紙幣Ｐの透過画像情報を検知する透過画像検知部３４と、紙幣Ｐの磁気印刷特性を検知する磁気センサ３６と、紙幣Ｐのブリーチ発光特徴や蛍光印刷情報を検知する蛍光検知部３８と、紙幣Ｐの厚さを検知し、テープや複数枚取りを検知する厚さ検知部４０と、を備えている。鑑査装置１８は、上記種々の検出部および磁気センサの検知情報に基づいて、紙幣Ｐの金種、形状、厚さ、表裏、真偽、正損、汚損度、２枚取り等を鑑査する。
【００１１】
紙幣処理装置１０は、鑑査装置１８の検出装置あるいは各種センサの検出情報を用いて搬送機構の構成部材、例えば、搬送ベルトの劣化度合い（劣化度）を検出する機能および装置を備えている。一例では、劣化度を検出する検出部（検出装置）は、第１画像検出装置３０の取得画像を用いて搬送ベルトの劣化度を検知する構成としている。
図２は、第１画像検出装置３０および搬送機構を示す側面図、図３は第１画像検出装置および搬送機構を示す斜視図である。
図示のように、搬送機構７０は、例えばゴムで形成された帯状の一対の第１搬送ベルトＢＬ１と、それぞれ第１搬送ベルトＢＬ１に対向して配置された一対の第２搬送ベルトＢＬ２および一対の第３搬送ベルトＢＬ３と、複数の吸引装置７２と、を有している。一対の第１搬送ベルトＢＬ１は、複数のプーリ７３に掛け渡された無端ベルトであり、搬送ベルトＢＬ１の所定長さ部分は、搬送路１２に沿ってほぼ水平に延在している。一対の第１搬送ベルトＢＬ１は、紙幣Ｐの幅よりも僅かに狭い間隔を置いて、互いに平行に配置されている。各第１搬送ベルトＢＬ１には、長手方向に所定の間隔を置いて、複数の吸気孔Ｈが貫通形成されている。
【００１２】
第２搬送ベルトＢＬ２は、搬送方向Ａにおいて、第１搬送ベルトＢＬ１の上流側に設けられている。第２搬送ベルトＢＬ２は、複数のプーリ７４に掛け渡され、所定の長さ部分が第１搬送ベルトＢＬ１に対向して、すなわち、重なって延在している。
第３搬送ベルトＢＬ３は、搬送方向Ａにおいて、第１搬送ベルトＢＬ１の下流側に設けられている。第３搬送ベルトＢＬ３は、複数のプーリ７６に掛け渡され、所定の長さ部分が第１搬送ベルトＢＬ１に対向して、すなわち、重なって延在している。第２搬送ベルトＢＬ２と第３搬送ベルトＢＬ３とは、搬送方向Ａにおいて、紙幣Ｐの長さよりも大きな間隔を置いて配置されている。第１搬送ベルトＢＬ１上で、第２搬送ベルトＢＬ２と第３搬送ベルトＢＬ３との間の領域は、検査領域を形成している。
複数の吸引装置７２は、第２搬送ベルトＢＬ２と第３搬送ベルトＢＬ３との間で、それぞれ第１搬送ベルトＢＬ１の裏面に対向して配置されている。吸引装置７２は、第１搬送ベルトＢＬ１の吸気孔Ｈを通して吸気することにより、紙幣Ｐを第１搬送ベルトＢＬ１の上面に吸着する機能を有している。
【００１３】
紙幣Ｐは、幅方向の両端部が第１搬送ベルトＢＬ１と第２搬送ベルトＢＬ２との間に挟まれた状態で搬送方向Ａに搬送され、続いて、幅方向両端部が第１搬送ベルトＢＬ１の上面に吸着した状態で第１搬送ベルトＢＬ１により検査領域を通して搬送される。検査領域を通過した後、紙幣Ｐは、第３搬送ベルトＢＬ３と第１搬送ベルトＢＬ１との間に挟まれた状態で更に搬送される。
【００１４】
一方、第１画像検出装置３０は、検査領域において、第１搬送ベルトＢＬ１の上方に配置された照明装置４４および撮像装置４６と、第１搬送ベルトＢＬ１の下方に配置された白色基準板４８と、を有している。白色基準板４８は、例えば、矩形板状に形成され、一対の第１搬送ベルトＢＬ１とほぼ直交して配置されている。白色基準板４８の長手方向の両端部は、それぞれ第１搬送ベルトＢＬ１の外側まで延出している。
照明装置４４は、一対の第１搬送ベルトＢＬ１の上面、検査領域を通過する紙幣Ｐの上面、および白色基準板４８の全域に向けて検出光を照射する向きに配置されている。照明装置４４は、光源として、用途に応じて、可視光を出射するＬＥＤアレイ、近紫外光を出射するＬＥＤアレイ、あるいは近赤外光を出射するＬＥＤアレイを用いている。
【００１５】
撮像装置４６は、第１搬送ベルトＢＬ１を挟んで白色基準板４８と対向する位置に配置されている。撮像装置４６は、搬送されている紙幣Ｐを一次元的に順次撮像するラインイメージセンサ（例えば、モノクロのラインＣＣＤやラインＣＭＯＳ）、あるいはビデオカメラなどにより構成されている。本実施形態では、撮像装置４６はラインイメージセンサを用いている。このラインイメージセンサは、それぞれ受光した光を電気信号、すなわち画像に変換する複数の受光素子（撮像素子、ＣＣＤ）を有し、これらの受光素子は搬送方向Ａとほぼ直交する方向に複数列に並んで配列されている。撮像装置４６は、受光素子により、紙幣Ｐが通過する所定範囲（撮像範囲）を順次撮像し、紙幣Ｐの上面の画像、および一対の第１搬送ベルトＢＬ１の画像を取得する。
【００１６】
図４は、鑑査装置１８および第１画像検出装置３０の機能ブロックを示すブロック図である。図示のように、鑑査装置１８あるいは画像検出装置３０は、撮像装置４６により撮像した画像を取得する画像取得部１４、ソフトウェアを備え、あるいは、ソフトウェアに基づき、取得した画像を処理可能な画像処理部１６、および制御部１５を有している。
画像取得部１４は、アンプ（増幅器）４１、アナログ／デジタル変換回路（Ａ／Ｄ変換回路）４２、および補正回路４３を備えている。アンプ４１は、撮像装置（ラインイメージセンサ）４６の出力信号（画像データ）を増幅して出力する。Ａ／Ｄ変換回路４２は、入力信号であるアナログ信号をデジタル信号に変換して出力信号として出力する。補正回路４３は、予め記憶されている撮像装置４６の各撮像素子の特性に基づいて入力信号のムラを補正する。また、補正回路４３は、撮像装置１２から受信した出力信号のうちの白色基準板４８の画像に対応する画素の明るさが規定の明るさの値になるように撮像装置４６の感度補正を行なう。
【００１７】
画像処理部１６は、演算処理部６０と、演算処理された画像データを蓄積して格納する画像メモリ５１と、基準画像データを格納している基準画像メモリ５２を有する判定部６６と、を備えている。演算処理部６０は、フォームウエアに基づいて取得画像の位置・傾き検出、位置・傾き補正、画像特徴量の演算等を行い、演算処理された画像データを画像メモリ５１に送る。  
判定部６６の基準画像メモリ５２は、紙幣Ｐの各種の判定の基準となる基準画像データを紙幣の種類毎に予め複数記憶している。また、基準画像メモリ５２は、第１搬送ベルトＢＬ１の劣化度の基準となるベルト画像の輝度の第１閾値Ａ、および搬送ベルトのずれ幅の基準となる第２閾値Ｂを格納している。判定部６６は、画像メモリ５１から読み出した画像データと基準画像メモリ５２に格納されている基準画像データとを比較することにより紙幣Ｐの券種、汚れ度合などを判定する。本実施形態では、判定部６６は、画像データの内、第１搬送ベルトＢＬ１の画像（ベルト画像）を検知し、このベルト画像と基準画像メモリ５２に格納されている基準画像データとを比較することにより、第１搬送ベルトＢＬ１の劣化度を判定する。一例では、判定部６６は、ベルト画像の輝度を検出し、検出されたベルト画像の輝度と基準画像メモリ５２に格納されている第１閾値Ａとを比較することにより、第１搬送ベルトＢＬ１の劣化度を判定する。更に、判定部６６は、ベルト画像の幅方向のずれ幅を検出し、検出されたずれ幅と基準画像メモリ５２に格納されている第２閾値Ｂとを比較することにより、第１搬送ベルトＢＬ１の劣化度を判定する。判定部６６は、判定結果を制御部１５に送る。  
以上のように、判定部６６を含む画像処理部１６は、搬送ベルトの劣化を判定する画像劣化判定機構を構成している。
【００１８】
制御部１５は、制御回路５３、およびアラーム発信回路５６を有している。制御回路５３は、撮像装置４６、照明装置４４、画像取得部１４、および画像処理部１６の各部を統合的に制御する。例えば、制御回路５３は、撮像装置４６による撮像範囲の撮像を行なうタイミングを制御する。更に、制御回路５３は、画像処理部１６から送られた判定結果に応じて、すなわち、搬送ベルトの劣化度に応じて、搬送ベルトの交換時期を算出する。制御回路５３は、ベルトの交換時期に達した時点で、ベルトの交換指示をアラーム発信回路５６に送る。これに応じて、アラーム発信回路５６は、ベルトの交換を促す情報、例えば、アラーム信号を紙幣処理装置１０のモニタ６８に発信し、モニタ６８にベルト交換指示を表示する。
なお、アラーム発信は、モニタに表示する構成に限らず、アラームランプを点灯する、あるいは、アラーム音声を出力する等の構成とすることも可能である。
【００１９】
次に、上記のように構成された第１画像検出装置３０および鑑査装置１８による撮像動作および画像検知動作について説明する。図５は、第１画像検出装置３０および鑑査装置１８による撮像動作および第１搬送ベルトＢＬ１の劣化度検出動作を示すフローチャートである。
図示のように、初めに、画像検出装置３０により紙幣Ｐおよび第１搬送ベルトＢＬ１を撮像し、これらの画像を取得する（ステップＳ１）。この場合、図２および図３で示したように、搬送機構７０により搬送された紙幣Ｐが画像検出装置３０の検査領域を通過する間、すなわち、白色基準板４８上を通過する間、照明装置４４から検査光を紙幣Ｐ、第１搬送ベルトＢＬ１、および白色基準板４８に照射し、その反射光を撮像装置４６で受光および撮像する。撮像装置４６の出力信号を画像取得部１４により増幅および変換することにより紙幣Ｐの表面の画像および一対の第１搬送ベルトＢＬ１の画像を取得する。
【００２０】
図６は、取得した画像の一例を示している。図示のように、取得画像は、紙幣Ｐの表面画像および一対の第１搬送ベルトＢＬ１の画像を含んでいる。図示の例は、紙幣Ｐのスライド、スキューが無い状態で撮像した画像の例を示している。図示のように、白色基準板４８の上に紙幣Ｐが無い所は、白色基準板４８から反射光による取得画像であり、明画像として読み取られている。第１搬送ベルトＢＬ１は、白色基準板４８よりも反射率が低いことから、第１搬送ベルトＢＬ１は、白色基準板４８よりもやや暗い画像として読み取られている。
【００２１】
図５に示すように、続いて、取得画像を画像処理部１６により演算処理する（ステップＳ２）。画像処理において、演算処理部６０は、取得した紙幣画像の境界（輪郭）、すなわち、紙幣画像の側縁（長辺、短辺）を検出し、検出した輪郭と予め記憶されている基準位置とを比較することにより、紙幣画像の位置ずれ（スライド）、および傾き（スキュー）を検出する。演算処理部６０は、検出した紙幣Ｐの位置ずれ、および傾きに応じて取得画像の位置および傾きを補正（アファイン変換）する、すなわち、取得画像中の紙幣Ｐの長辺および短辺が基準位置と一致するように紙幣画像を補正する。
【００２２】
判定部６６は、位置および傾きを補正した画像と、基準画像メモリ５２に記憶されている紙葉類の各基準画像とを比較し、例えば、画像中の紙幣Ｐ上に、所定の情報が印刷されているかを検出することにより紙幣Ｐの券種を判定し、判定結果を制御部１５に出力する。  
また、判定部６６は、取得画像における第１搬送ベルトＢＬ１の画像（ベルト画像）を検知し（ステップＳ３）、ベルト画像の輝度を検出および測定する（ステップＳ４）。同時あるいは続けて、判定部６６は、各第１搬送ベルトＢＬ１のベルト画像の幅を検出する（ステップＳ５）。
【００２３】
図８は、第１搬送ベルトＢＬ１の劣化度とベルト画像の輝度との関係を示し、図９は、第１搬送ベルトＢＬ１の幅方向のずれ幅とベルト画像の輝度との関係を示している。
図８に示すように、汚れ、磨耗、伸び等により第１搬送ベルトＢＬ１の劣化が進行していくと、ベルト画像の輝度が変化する、具体的には、輝度が低下していく。例えば、新品の第１搬送ベルトのベルト画像の輝度に対して、劣化した第１搬送ベルトのベルト画像の輝度は、約Ｄ１程度、低くなる。
第１搬送ベルトＢＬ１は、劣化により伸びが生じた場合、ベルト走行時に幅方向に位置ずれが生じる。そのため、図９に示すように、劣化に伴い、ベルト画像の幅が増大する。例えば、新品の第１搬送ベルトのベルト画像の幅Ｗ１に対して、劣化した第１搬送ベルトのベルト画像の幅Ｗ２は、Ｗ２＞Ｗ１となる。
【００２４】
図７は、取得画像において、ベルト画像検出部６４により検知する検知領域Ａ、Ｂ、Ｃを示している。ベルト画像の輝度を検出する場合、各第１搬送ベルトＢＬ１上に位置する検知領域Ａ、Ｂを検知することにより、それぞれのベルト画像の輝度を検出する。あるいは、ベルト画像検出部６４は、所得画像の幅方向全域に亘る検査領域Ｃを検知することにより、各ベルト画像の輝度、および各ベルト画像の幅を検出することができる。
【００２５】
図５に示すように、判定部６６は、測定したベルト画像の輝度と基準画像メモリ５２に格納されている所定の第１閾値Ａとを比較する（ステップＳ６）。測定輝度が第１閾値Ａ以下の場合、判定部６６は第１搬送ベルトＢＬ１が劣化している判定し、判定結果を制御部１５に送る。これに応じて、制御部１５の制御回路５３はアラーム発信指示をアラーム発信回路５６に送信する。アラーム発信回路５６は、これに応じて、ベルト交換を示唆するベルト交換指示を出力する（ステップ８）。ベルト交換指示は、紙幣処理装置のモニタ６８に「ベルト交換指示」を表示する、アラームランプを点灯する、あるいは、アラーム音声を出力する等の種々のアラーム発信方法を採用することが可能である。
ベルト交換指示を発信した後、ベルト画像検知処理を終了する。なお、ステップＳ６において、検出輝度が第１閾値Ａよりも高い場合、ステップＳ１に戻り、上述した処理を繰り返し実行する。
【００２６】
また、判定部６６は、検出されたベルト画像の幅と基準画像メモリ５２に格納されている所定の第２閾値Ｂ（例えば、幅Ｗ２）とを比較する（ステップＳ７）。検出幅が第２閾値Ｂ以上の場合、判定部６６は第１搬送ベルトＢＬ１が劣化している判定し、判定結果を制御部１５に送る。これに応じて、制御部１５の制御回路５３はアラーム発信指示をアラーム発信回路５６に送信する。アラーム発信回路５６は、これに応じて、ベルト交換を示唆するベルト交換指示を出力する（ステップ８）。ベルト交換指示を出力した後、ベルト画像検知処理を終了する。なお、ステップＳ７において、検出幅が第２閾値Ｂよりも小さい場合、ステップＳ１に戻る。  
ベルト交換後、上述したベルト画像検出動作を随時あるいは定期的に行う。
【００２７】
以上のベルト画像検知処理により第１搬送ベルトＢＬ１の劣化度を検出し、適切なベルト交換時期を正確に判断することが可能となる。これにより、劣化した搬送ベルトの使用を防止し、紙葉類の安定的な搬送および正確な鑑査処理を維持することができる。また、搬送ベルトの定期交換等を行う必要がなく、劣化度が進んでいない搬送ベルト、すなわち、まだ使用可能な状態の搬送ベルトを交換してしまう事態を防止し、搬送ベルトを無駄なく使用することが可能となる。更に、搬送ベルトの劣化度の判定は、紙幣処理装置の稼働を停止することなく実行することができ、紙幣処理装置の稼働率を低下させることがない。
以上のことから、本実施形態によれば、搬送機構の構成部材の適切な交換時期を検出し、鑑査装置の検知性能の維持および信頼性の向上を図ることが可能な紙葉類処理装置および紙葉類処理方法を得ることができる。
【００２８】
本発明は上述した実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
【００２９】
上述した実施形態において、ベルト画像の輝度および幅の両方を検出し、それぞれの検出結果に応じてベルトの劣化度を判定する構成としているが、これに限らず、いずれか一方の検出結果のみに基づいてベルトの劣化度合いを判定する構成としてもよい。
上述したように、通常、搬送ベルトは、劣化に伴い、画像の輝度が低下するが、搬送ベルトの種類によっては、ベルトの劣化により表面が削れ、光が反射し易くなり、その結果、劣化に伴い画像の輝度が高くなる搬送ベルトが存在する可能性も考えられる。このような搬送ベルトを用いる場合は、予め、第１閾値と異なる第３閾値Ａ２等を登録しておき、図５のステップ６（Ｓ６）において、測定輝度が第３閾値Ａ２以上か否かを判断することにより、搬送ベルトの劣化度を検出すればよい。
【００３０】
また、劣化度を検出する対象は、第１搬送ベルトに限らず、搬送機構の他の構成部材、例えば、ゴムローラ（搬送ベルトよりも細いループ状のローラ）としてもよい。搬送ベルトの劣化度は、ベルト画像の輝度、ずれ幅に基づいて検出する構成に限らず、搬送ベルトの他の特徴を検出することにより劣化度を判定することも可能である。例えば、搬送ベルトやゴムローラは、表面が摩耗することで毛羽立状態やサイズが変化する。そのため、取得画像から毛羽立状態を検出し、劣化度合いを判定する構成としてもよく、あるいは、サイズの変化を検出し、劣化度合いを判定する構成としてもよい。また、搬送ベルトに基準マークを付し、この基準マークの通過タイミングを検出することにより、搬送ベルトの伸び、つまり、劣化度合いを判定する構成とすることも可能である。
更に、第１画像検出装置により取得した情報、すなわち、取得画像を利用して搬送ベルトの劣化度を検出する構成としているが、これに限らず、他の検出装置、例えば、第２画像検出装置、透過画像検出装置、磁気センサにより取得した情報を利用して搬送ベルトあるいはゴムローラの劣化度を検出する構成としてもよい。  
処理対象となる紙葉類は、紙幣に限らず、有価証券等の他の紙葉類にも適用可能である。
【符号の説明】
【００３１】
１０…紙幣処理装置、１２…搬送路、１４…画像取得部、１５…制御部、  
１６…画像処理部、１８…鑑査装置、３０…第１画像検出装置、  
３２…第２画像検出装置、４４…照明装置、４６…撮像装置、３８…白色基準板、  
６４…ベルト画像検出部、６６…判定部、７０…搬送機構、７２…吸引装置、  
Ｐ…紙葉類（紙幣）、ＢＬ１…第１搬送ベルト、ＢＬ２…第２搬送ベルト、  
ＢＬ３…第３搬送ベルト、Ｈ…通気孔  
【図１】
2020154566.tif 000003
【図２】
2020154566.tif 000004
【図３】
2020154566.tif 000005
【図４】
2020154566.tif 000006
【図５】
2020154566.tif 000007
【図６】
2020154566.tif 000008
【図７】
2020154566.tif 000009
【図８】
2020154566.tif 000010
【図９】
2020154566.tif 000011